(57)【特許請求の範囲】
【請求項１】
挿入部の基端側に延設される筒状部材と、
前記筒状部材の側壁に設けられた開口部と、
前記筒状部材の内部に配置され、前記筒状部材の軸方向に開通する第１の通路および前記筒状部材の軸方向以外の方向に開通する第２の通路との連通部を有する分岐部材と、
前記開口部の前縁に形成され、前記分岐部材が当接して前記筒状部材の軸方向に沿う前記分岐部材の移動を規制する突当て部と、
前記開口部の側面から前記筒状部材の軸方向と交差する方向へ延出され、前記分岐部材を挟持する一対の挟持片を有する受け部と、
前記受け部と前記分岐部材との接触部に設けられ、前記受け部と前記分岐部材との間を係脱可能に係合する係合部と、
を備え、
前記係合部は、
前記分岐部材の側面に設けられた第１凹部または第１凸部のいずれか一方と、
前記受け部に設けられ、前記第１凹部と係合する第２凸部または前記第１凸部と係合する第２凹部と、
を含んでなる内視鏡。
【請求項２】
前記分岐部材の第１凹部は、前記分岐部材の貫通穴の両端部によって形成されている請求項１に記載の内視鏡。
【請求項３】
前記受け部は、前記第２凸部が前記分岐部材の前記貫通穴に挿通された状態で係止されるスプリングピンを有する請求項２に記載の内視鏡。
【請求項４】
前記受け部は、前記一対の挟持片の少なくとも一方が弾性変形可能な板ばね状の部材によって形成され、
前記受け部の第２凸部は、前記挟持片に内方向に向けて突出成形された突出成形部によって形成されている請求項１に記載の内視鏡。
【請求項５】
前記受け部は、前記一対の挟持片の少なくとも一方が弾性変形可能な板ばね状の部材によって形成され、
前記受け部の第２凹部は、前記挟持片に外方向に向けて突出成形された突出成形部の内面側の凹部または穴の一方によって形成されている請求項１に記載の内視鏡。
【請求項６】
前記係合部は、
前記受け部の一対の挟持片に前記筒状部材の軸方向に延設されたレールと、
前記分岐部材に設けられ、前記レールと係合する溝部と、
を含んでなる請求項１に記載の内視鏡。
【請求項７】
前記受け部は、前記レールの終端部に前記筒状部材の軸方向と交差する方向に延設された第３凸部を有し、
前記分岐部材は、前記溝部に前記レールの前記第３凸部と係合する第４凹部が形成されている請求項６に記載の内視鏡。
【請求項８】
前記筒状部材は、操作部のケーシング内に設けられた円筒部材によって形成され、
前記分岐部材は、金属材料で形成された分岐部材本体を有し、前記第１の通路の先端側に処置具挿通チャンネルの基端部が連結されるとともに、前記第１の通路の基端側に吸引通路が接続され、前記第２の通路に前記操作部に設けられた処置具挿入口から挿入される処置具を導入する処置具挿入口体が連結される請求項１に記載の内視鏡。
【発明の詳細な説明】
【技術分野】
【０００１】
本発明は、操作部のケーシング内に配設された筒状部材と、処置具挿通用チャンネルと操作部の処置具挿入口と吸引通路との間を連結する連結用の分岐部材とを備えた内視鏡に関する。
【背景技術】
【０００２】
特許文献１には、内視鏡のチャンネルの基端側に処置具挿入孔と吸引通路に分岐する金属製の分岐部材が設けられている構成の内視鏡が示されている。また、操作部のケーシング内には、操作部の内部への挿通部材の保護及び保形性等の観点から金属で形成される筒状部材が配設されている。そして、従来の分岐部材は、ねじ部材によりこの筒状部材に固定されている。
【先行技術文献】
【特許文献】
【０００３】
【特許文献１】特開平１１−４７０８３号公報
【発明の概要】
【発明が解決しようとする課題】
【０００４】
特許文献１のような従来の内視鏡では、金属製の分岐部材は切削加工で管路が形成されているとともに、金属製の分岐部材を筒状部材に固定するために分岐部材にねじ穴を追加で機械加工する必要があるので、部品単価が高くなる。さらに、内視鏡の製造時には分岐部材を筒状部材にねじ部材によってねじ締めする作業等が必要なため、組み付け作業に時間がかかり、組立て費用が高くなっている。
【０００５】
本発明は上記事情に着目してなされたもので、その目的は、組立てが容易で、分岐部材の安価な取付け構造を具備した内視鏡を提供することにある。
【課題を解決するための手段】
【０００６】
本発明の一局面の態様は、挿入部の基端側に延設される筒状部材と、前記筒状部材の側壁に設けられた開口部と、前記筒状部材の内部に配置され、前記筒状部材の軸方向に開通する第１の通路および前記筒状部材の軸方向以外の方向に開通する第２の通路との連通部を有する分岐部材と、前記開口部の前縁に形成され、前記分岐部材が当接して前記筒状部材の軸方向に沿う前記分岐部材の移動を規制する突当て部と、前記開口部の側面から前記筒状部材の軸方向と交差する方向へ延出され、前記分岐部材を挟持する一対の挟持片を有する受け部と、前記受け部と前記分岐部材との接触部に設けられ、前記受け部と前記分岐部材との間を係脱可能に係合する係合部と、を備え、前記係合部は、前記分岐部材の側面に設けられた第１凹部または第１凸部のいずれか一方と、前記受け部に設けられ、前記第１凹部と係合する第２凸部または前記第１凸部と係合する第２凹部と、を含んでなる内視鏡である。  
そして、上記構成では、挿入部の基端側に延設される筒状部材に分岐部材を組み付ける作業時には、筒状部材の側壁に設けられた開口部の前縁の突当て部に分岐部材を当接させることで、筒状部材の軸方向に沿う分岐部材の移動を規制するとともに、開口部の側面に配置された受け部の一対の挟持片間に分岐部材が挟持され、筒状部材の円周方向に沿う分岐部材の動きを規制する。この一対の挟持片間に分岐部材が挟持される際に、係合部によって受け部と前記分岐部材との間が係脱可能に係合固定される。これにより、分岐部材にねじ穴を機械加工するなどの追加の作業が不要になり、組立てが容易で、分岐部材のコスト低下を図るようにしたものである。
【０００８】
好ましくは、前記分岐部材の第１凹部は、前記分岐部材の貫通穴の両端部によって形成されている。  
そして、上記構成では、一対の挟持片間に分岐部材が挟持される際に、分岐部材の貫通穴の両端部によって形成されている第１凹部と受け部の第２凸部との間が係脱可能に係合される。
【０００９】
好ましくは、前記受け部は、前記第２凸部が前記分岐部材の前記貫通穴に挿通された状態で係止されるスプリングピンを有する。  
そして、上記構成では、一対の挟持片間に分岐部材が挟持される際に、分岐部材の貫通穴に受け部のスプリングピンが挿通された状態で係止されることで、分岐部材の側面に設けられた第１凹部と受け部の第２凸部との間が係脱可能に係合される。
【００１０】
好ましくは、前記受け部は、前記一対の挟持片の少なくとも一方が弾性変形可能な板ばね状の部材によって形成され、前記受け部の第２凸部は、前記挟持片に内方向に向けて突出成形された突出成形部によって形成されている。  
そして、上記構成では、一対の挟持片間に分岐部材が挟持される際に、突出成形部によって形成されている受け部の第２凸部が分岐部材と当接することで、一対の挟持片の少なくとも一方の板ばね状の部材が弾性変形しながら受け部の第２凸部が分岐部材の側壁を乗り越えて第１凹部に挿入されることにより、分岐部材の第１凹部と受け部の第２凸部との間が係脱可能に係合される。
【００１１】
好ましくは、前記受け部は、前記一対の挟持片の少なくとも一方が弾性変形可能な板ばね状の部材によって形成され、前記受け部の第２凹部は、前記挟持片に外方向に向けて突出成形された突出成形部の内面側の凹部または穴の一方によって形成されている。  
そして、上記構成では、一対の挟持片間に分岐部材が挟持される際に、分岐部材の第１凸部が一対の挟持片と当接することで、一対の挟持片の少なくとも一方の板ばね状の部材が弾性変形しながら分岐部材の第１凸部が挟持片の突出成形部の内面側の凹部または穴の一方によって形成されている受け部の第２凹部に挿入されることにより、分岐部材の第１凸部と受け部の第２凹部との間が係脱可能に係合される。
【００１２】
好ましくは、前記係合部は、前記受け部の一対の挟持片に前記筒状部材の軸方向に延設されたレールと、前記分岐部材に設けられ、前記レールと係合する溝部と、を含んでなる。  
そして、上記構成では、挿入部の基端側に延設される筒状部材に分岐部材を組み付ける作業時には、筒状部材の側壁に設けられた開口部の前縁の突当て部に分岐部材を当接させることで、筒状部材の軸方向に沿う分岐部材の移動を規制するとともに、開口部の側面に配置された受け部の一対の挟持片間に分岐部材が挟持される。この一対の挟持片間に分岐部材が挟持される際に、一対の挟持片のレールが分岐部材の溝部に挿入されることで、受け部と前記分岐部材との間が係脱可能に係合される。
【００１３】
好ましくは、前記受け部は、前記レールの終端部に前記筒状部材の軸方向と交差する方向に延設された第３凸部を有し、前記分岐部材は、前記溝部に前記レールの前記第３凸部と係合する第４凹部が形成されている。  
そして、上記構成では、一対の挟持片間に分岐部材が挟持される際に、一対の挟持片のレールが分岐部材の溝部に挿入されることで、受け部と前記分岐部材との間が係脱可能に係合される。このとき、レールの終端部の第３凸部と分岐部材の第４凹部との間が係脱可能に係合される。
【００１４】
好ましくは、前記筒状部材は、操作部のケーシング内に設けられた円筒部材によって形成され、前記分岐部材は、金属材料で形成された分岐部材本体を有し、前記第１の通路の先端側に処置具挿通チャンネルの基端部が連結されるとともに、前記第１の通路の基端側に吸引通路が接続され、前記第２の通路に前記操作部に設けられた処置具挿入口から挿入される処置具を導入する処置具挿入口体が連結される。  
そして、上記構成では、操作部のケーシング内に設けられた円筒部材によって形成された筒状部材に金属材料で形成された分岐部材の分岐部材本体が組み付けられる。このとき、分岐部材本体の第１の通路の先端側に処置具挿通チャンネルの基端部が連結されるとともに、前記第１の通路の基端側に吸引通路が接続され、前記第２の通路に前記操作部に設けられた処置具挿入口から挿入される処置具を導入する処置具挿入口体が連結される。
【発明の効果】
【００１５】
本発明によれば、組立てが容易で、分岐部材の安価な取付け構造を具備した内視鏡装置を提供することができる。
【図面の簡単な説明】
【００１６】
【図１】本発明の第１の実施の形態の内視鏡の全体の概略構成を示す斜視図。
【図２】第１の実施の形態の内視鏡の操作部内の円筒部材と分岐部材との連結部分を示す要部の縦断面図。
【図３】第１の実施の形態の内視鏡の円筒部材を示す斜視図。
【図４】第１の実施の形態の内視鏡の円筒部材の突当て部と分岐部材の前縁の係合溝との係合部分を示す要部の縦断面図。
【図５】図４のＶ−Ｖ線断面図。
【図６】本発明の第２の実施の形態の内視鏡の円筒部材を示す斜視図。
【図７】第２の実施の形態の内視鏡の操作部内の円筒部材と分岐部材との連結部分を示す要部の横断面図。
【図８】第２の実施の形態の第１の変形例を示す要部の横断面図。
【図９】第２の実施の形態の第２の変形例を示す要部の横断面図。
【図１０】本発明の第３の実施の形態の内視鏡の円筒部材を示す斜視図。
【図１１】第３の実施の形態の内視鏡の操作部内の円筒部材のレールと分岐部材の溝部との連結部分を示す要部の横断面図。
【図１２】第３の実施の形態の内視鏡の円筒部材レールの爪部と分岐部材の溝部の係合凹部との連結部分を示す要部の横断面図。
【発明を実施するための形態】
【００１７】
［第１の実施の形態］  
（構成）  
図１乃至図５は、本発明の第１の実施の形態を示す。図１は本実施の形態の内視鏡１の全体の概略構成を示す図である。図示のごとく、内視鏡１は、挿入部２と、操作部３と、ユニバーサルコード４とから構成される。挿入部２は、細長い可撓管部５と、湾曲部６と、先端硬質部７とが設けられている。挿入部２は、ポリウレタン等の樹脂で被覆されるとともに、後端部分は操作部３に接続され、その接続部は折れ止め部材８により保護されている。
【００１８】
また、湾曲部６は、軟らかい弾性体で被覆されている。この湾曲部６の先端には先端硬質部７が設けられており、この先端面には図示しない観察光学系、撮像素子、照明光学系、送気送水ノズル、鉗子口出口などが設けられている。
操作部３には、吸引を行う際に使用する吸引制御装置９、送気送水を行う際に操作する送気送水バルブ１０、さらに撮像素子から出力された映像信号を処理するためのリモートスイッチ１１が取り付けられている。さらに操作部３には、樹脂製の上下アングルノブ１２ａおよび左右アングルノブ１２ｂが取り付けられている。上下アングルノブ１２ａを操作することによって湾曲部６を上下方向に、また左右アングルノブ１２ｂを操作することによって湾曲部６を左右方向に湾曲させることができる。なお、湾曲部６を湾曲固定状態に保ったり、湾曲固定状態を開放するときに使用する樹脂製のＦＥレバー１３ａ、１３ｂも取り付けられている。
【００１９】
操作部３に接続されたユニバーサルコード４はポリウレタン等の樹脂で被覆されており、その先端にはコネクタ１４が取り付けられている。コネクタ１４には高周波漏れ電流を焼灼電源に戻すためのＳクチガネ１５と、図示されていない送水タンクに接続して送水を行うための金属製の送水口金１６と、図示されていない吸引ポンプが接続される金属製の吸引口金１７と、複数の電気接点１８と、ライトガイドの端部１９と、送気を行うための金属製の送気管２０などが設けられている。コネクタ１４のライトガイドの端部１９を図示しない光源装置のコネクタ受けに接続することによって先端硬質部の照明光学系から照明光が照射される。さらにコネクタ１４の側面には、電気コネクタ部２１が設けられており、この部分に図示しない接続コードを接続して図示しないビデオプロセッサと接続することで、撮像素子から出力された電気信号を図示しないモニタ上に映像として映し出せる。
【００２０】
内視鏡１の操作部３の下部には内視鏡１を把持するためのポリサルフォンなどの硬い樹脂で形成されたグリップ２２が設けられている。さらに、グリップ２２と挿入部２の折れ止め部材８との間には図２で示される連結部２２ａが設けられている。この連結部２２ａには鉗子等の処置具を挿通させるための鉗子口２３が設けられている。鉗子口２３にはシリコンゴムなどの弾性体で形成される鉗子栓２４が取り付けられる構造になっている。
【００２１】
また、連結部２２ａには、主筒部２２ａ１とこの主筒部２２ａ１から挿入部２の軸方向に対して斜め後方に向けて突出された分岐筒部２２ａ２とが設けられている。分岐筒部２２ａ２内には、処置具を導入する略筒状のチャンネル口金（処置具挿入口体）２５が配置されている。このチャンネル口金２５の外端部に前記鉗子口２３が形成されている。チャンネル口金２５の外周にはＯリング２６，２７を嵌め込み、このＯリング２６，２７により分岐筒部２２ａ２とチャンネル口金２５の間をシールする。チャンネル口金２５の組み付け位置はキー状のピン部材２８により定められるようになっている。
【００２２】
内視鏡１のグリップ２２および連結部２２ａの内部には、図示しないアングル操作用ワイヤー、送気用チャンネル、送水用チャンネル、撮像素子からの出力信号伝達用の電気ケーブルなどの内装物が組み込まれている。グリップ２２および連結部２２ａの内部にはこれら内装物の保護と他の部材の保持などを目的としたアルミニウム合金製の円筒部材（筒状部材）２９が設けられている。図３に示すように円筒部材２９には長方形の開口部である円筒部材開口部３０が設けられる。この円筒部材２９は、グリップ２２の内部に設けられた図示しない金属製の固定用フレームに金属製の継ぎ板とネジで固定されている。
【００２３】
また、円筒部材２９の内部には、分岐部材３１が配置されている。この分岐部材３１は、円筒部材２９の軸方向に開通する第１の通路３１ａと、円筒部材２９の軸方向以外の方向に開通する第２の通路３１ｂと、これら第１の通路３１ａと第２の通路３１ｂとの連通部３１ｃとを有する。そして、この分岐部材３１の内部には、第１の通路３１ａと、第２の通路３１ｂと、連通部３１ｃとによって三股状に分岐したほぼＹ字状の３つの分岐通路が形成されている。ここで、第１の通路３１ａの先端側には、第１の連結孔であるチャンネル孔３１ａ１、第１の通路３１ａの基端側には、第２の連結孔である吸引孔３１ａ２がそれぞれ形成されている。さらに、第２の通路３１ｂの先端には第３の連結孔である導入孔３１ａ３が形成されている。
【００２４】
第１の通路３１ａの先端側のチャンネル孔３１ａ１には、挿入部２内に配設された処置具挿通チャンネル３２のチャンネルチューブの基端部が連結されている。第１の通路３１ａの基端側の吸引孔３１ａ２には、吸引通路３３の吸引パイプの先端部が接続されている。この吸引パイプは操作部３およびユニバーサルコード４内を通してコネクタ１４側に延出され、吸引口金１７に接続されている。さらに、第２の通路３１ｂの先端の導入孔３１ａ３には、チャンネル口金２５の基端部が連結される。
【００２５】
また、分岐部材３１は、金属材料で形成された一体のブロック部材（分岐部材本体）３４を有する。このブロック部材３４は、例えば、ＭＩＭ（メタルインジェクションモールディング：金属粉末射出成形）によって一体成形されている。
円筒部材２９には、円筒部材開口部３０の前縁にほぼＬ字状に屈曲された突当て部３５が形成されている。さらに、円筒部材２９には、円筒部材開口部３０の側面から円筒部材２９の軸方向と交差する方向へ延出され、分岐部材３１を挟持する一対の挟持片３６ａ，３６ｂを有する受け部３６が形成されている。
【００２６】
また、分岐部材３１の先端面には、円筒部材２９の突当て部３５と係合可能な係合溝３７が形成されている。そして、図４に示すようにこの係合溝３７に円筒部材２９の突当て部３５が差し込まれて係合されることにより、分岐部材３１が円筒部材２９の突当て部３５と当接して円筒部材２９の軸方向に沿う分岐部材３１の移動を規制するようになっている。
【００２７】
さらに、分岐部材３１の側面には、円筒部材２９の挟持片３６ａ，３６ｂとの接触部位に貫通孔３８が形成されている。分岐部材３１の側面には、この貫通孔３８の両端部によって分岐部材３１の第１凹部が形成されている。
また、図３に示すように円筒部材２９の受け部３６には、２つの挟持片３６ａ，３６ｂにおける分岐部材３１の貫通孔３８と対応する部位にスプリングピン３９の係合穴４０が形成されている。そして、挟持片３６ａ，３６ｂの係合穴４０間に受け部３６の第２凸部であるスプリングピン３９の両端部が嵌合されている。これにより、２つの挟持片３６ａ，３６ｂ間に架設された状態でスプリングピン３９が固定されている。そして、図５に示すようにこのスプリングピン３９は、分岐部材３１の貫通孔３８に挿通された状態で係止されることで、分岐部材３１の側面に設けられた第１凹部である貫通孔３８と受け部３６の第２凸部である挟持片３６ａ，３６ｂ間のスプリングピン３９との間が係脱可能に係合される。この分岐部材３１の貫通孔３８と受け部３６の挟持片３６ａ，３６ｂ間のスプリングピン３９とによって受け部３６と分岐部材３１との間を係脱可能に係合する係合部４１が形成されている。
【００２８】
（作用）  
次に、上記構成の作用について説明する。本実施の形態の内視鏡１の製造時に、挿入部２の基端側に延設される円筒部材２９に分岐部材３１を組み付ける作業時には、円筒部材２９の円筒部材開口部３０の前縁の突当て部３５に分岐部材３１の先端面の係合溝３７を当接させることで、円筒部材２９の軸方向に沿う分岐部材３１の前方向への移動を規制する。さらに、円筒部材開口部３０の側面に配置された受け部３６の一対の挟持片３６ａ，３６ｂ間に分岐部材３１が挟持される。この一対の挟持片３６ａ，３６ｂ間に分岐部材３１が挟持される際に、挟持片３６ａ，３６ｂの係合穴４０間に受け部３６の第２凸部であるスプリングピン３９の両端部が嵌合されることにより、２つの挟持片３６ａ，３６ｂ間に架設された状態でスプリングピン３９が固定される。そして、このスプリングピン３９が分岐部材３１の貫通孔３８に挿通された状態で係止されることで、分岐部材３１の側面に設けられた第１凹部である貫通孔３８と受け部３６の第２凸部である挟持片３６ａ，３６ｂ間のスプリングピン３９との間が係脱可能に係合される。
【００２９】
（効果）  
そこで、上記構成のものにあっては次の効果を奏する。すなわち、本実施の形態の内視鏡１では、分岐部材３１の側面に設けられた第１凹部である貫通孔３８を利用してスプリングピン３９によって円筒部材２９に分岐部材３１を組み付けることができる。したがって、従来のように分岐部材３１にねじ穴を機械加工し、この分岐部材３１を円筒部材２９にねじ部材によってねじ締めするなどの追加の作業が不要になるので、従来に比べて円筒部材２９に分岐部材３１を組み付ける組立て作業が容易となる。さらに、分岐部材３１は、例えば、ＭＩＭ（メタルインジェクション：射出成形粉末冶金）によってブロック部材３４を一体成形することができるので、分岐部材３１のコスト低下を図ることができる。これにより、組立てが容易で、分岐部材３１の安価な取付け構造を具備した内視鏡１を提供することができる。
【００３０】
［第２の実施の形態］  
（構成）  
図６および図７は、本発明の第２の実施の形態を示す。本実施の形態は、第１の実施の形態（図１乃至図５参照）の内視鏡１の円筒部材２９と分岐部材３１との間の連結構造を次の通り変更した変形例である。なお、図６および図７中で、図１乃至図５と同一部分には同一の符号を付してここではその説明を省略する。
【００３１】
本実施の形態の内視鏡１は、円筒部材２９の挟持片３６ａ，３６ｂが弾性変形可能な板ばね状の部材によって形成されている。これらの挟持片３６ａ，３６ｂには、図６に示すように内方向に向けて突出成形部５１がそれぞれ突出成形されている。そして、各挟持片３６ａ，３６ｂの突出成形部５１によってスナップフィット爪部を構成する受け部３６の第２凸部が形成されている。
【００３２】
また、本実施の形態の分岐部材３１は、第１の実施の形態と同一構成になっている。そして、分岐部材３１の貫通孔３８の両端部によって分岐部材３１の第１凹部が形成されている。これにより、図７に示すように各挟持片３６ａ，３６ｂの突出成形部５１が分岐部材３１の貫通孔３８の両端部に挿通された状態で係止されることで、分岐部材３１の側面に設けられた第１凹部である貫通孔３８と受け部３６の各挟持片３６ａ，３６ｂの突出成形部５１との間が係脱可能に係合される。この分岐部材３１の貫通孔３８と受け部３６の各挟持片３６ａ，３６ｂの突出成形部５１とによって受け部３６と分岐部材３１との間を係脱可能に係合する係合部５２が形成されている。
【００３３】
（作用）  
次に、上記構成の作用について説明する。本実施の形態では、挿入部２の基端側に延設される円筒部材２９に分岐部材３１を組み付ける作業時には、円筒部材２９の円筒部材開口部３０の前縁の突当て部３５に分岐部材３１の先端面の係合溝３７を当接させることで、円筒部材２９の軸方向に沿う分岐部材３１の前方向への移動を規制する。さらに、円筒部材開口部３０の側面に配置された受け部３６の一対の挟持片３６ａ，３６ｂ間に分岐部材３１が挟持される。このとき、一対の挟持片３６ａ，３６ｂ間に分岐部材３１が挟持される際に、受け部３６の第２凸部を形成する突出成形部５１が分岐部材３１と当接することで、一対の挟持片３６ａ，３６ｂの板ばね部材が弾性変形しながら受け部３６の突出成形部５１が分岐部材３１の側壁を乗り越えて貫通孔３８に挿入される。これにより、分岐部材３１の貫通孔３８と受け部３６の突出成形部５１との間が係脱可能に係合される。
【００３４】
（効果）  
そこで、上記構成のものにあっては次の効果を奏する。すなわち、本実施の形態の内視鏡１では、一対の挟持片３６ａ，３６ｂの弾性変形を利用して分岐部材３１の側面に設けられた第１凹部である貫通孔３８に一対の挟持片３６ａ，３６ｂの各突出成形部５１を挿入させることで、円筒部材２９に分岐部材３１を組み付けることができる。そのため、本実施の形態でも第１実施形態と同様に従来のように分岐部材３１にねじ穴を機械加工し、この分岐部材３１を円筒部材２９にねじ部材によってねじ締めするなどの追加の作業が不要になるので、従来に比べて円筒部材２９に分岐部材３１を組み付ける組立て作業が容易となる。さらに、分岐部材３１は、例えば、ＭＩＭ（メタルインジェクション：射出成形粉末冶金）によってブロック部材３４を一体成形することができるので、分岐部材３１のコスト低下を図ることができる。これにより、組立てが容易で、分岐部材３１の安価な取付け構造を具備した内視鏡１を提供することができる。
【００３５】
なお、本実施の形態では、一対の挟持片３６ａ，３６ｂが板ばね部材によって形成されている構成を示したが、一対の挟持片３６ａ，３６ｂのいずれか一方のみが板ばね部材によって形成されている構成にしてもよい。
［第２の実施の形態の第１の変形例］  
（構成）  
図８は、本発明の第２の実施の形態の第１の変形例を示す。本変形例は、第１の実施の形態（図１乃至図５参照）の内視鏡１の円筒部材２９と分岐部材３１との間の連結構造を次の通り変更した変形例である。なお、図８中で、図１乃至図５と同一部分には同一の符号を付してここではその説明を省略する。
【００３６】
すなわち、本変形例は、円筒部材２９の挟持片３６ａ，３６ｂが弾性変形可能な板ばね状の部材によって形成されている。各挟持片３６ａ，３６ｂには、図８に示すように１つの穴部６１がそれぞれ形成されている。そして、各挟持片３６ａ，３６ｂの穴部６１によって受け部３６の第２凹部が形成されている。
【００３７】
また、本実施の形態の分岐部材３１の両側面には、円筒部材２９の挟持片３６ａ，３６ｂとの接触部位に外向きに突出する第１凸部６２がそれぞれ形成されている。そして、分岐部材３１の両側面の第１凸部６２によってスナップフィット爪部が構成されている。
【００３８】
本変形例では、図８に示すように各挟持片３６ａ，３６ｂの穴部６１に分岐部材３１の両側面の第１凸部６２が挿通された状態で係止されることで、分岐部材３１の両側面の第１凸部６２と受け部３６の各挟持片３６ａ，３６ｂの穴部６１との間が係脱可能に係合される。この分岐部材３１の両側面の第１凸部６２と受け部３６の各挟持片３６ａ，３６ｂの穴部６１とによって受け部３６と分岐部材３１との間を係脱可能に係合する係合部６３が形成されている。
【００３９】
（作用・効果）  
本変形例では、分岐部材３１の第１凸部６２が一対の挟持片３６ａ，３６ｂと当接することで、一対の挟持片３６ａ，３６ｂが弾性変形しながら分岐部材３１の第１凸部６２が挟持片３６ａ，３６ｂの穴部６１に挿入される。このように一対の挟持片３６ａ，３６ｂの弾性変形を利用して各挟持片３６ａ，３６ｂの穴部６１に分岐部材３１の両側面の第１凸部６２を挿入させることで、円筒部材２９に分岐部材３１を組み付けることができる。そのため、本変形例でも第１実施形態と同様に従来のように分岐部材３１にねじ穴を機械加工し、この分岐部材３１を円筒部材２９にねじ部材によってねじ締めするなどの追加の作業が不要になるので、従来に比べて円筒部材２９に分岐部材３１を組み付ける組立て作業が容易となる。さらに、本変形例でも分岐部材３１の両側面の第１凸部６２は、例えば、ＭＩＭ（メタルインジェクション：射出成形粉末冶金）によって分岐部材３１のブロック部材３４に一体成形することができるので、分岐部材３１のコスト低下を図ることができる。これにより、組立てが容易で、分岐部材３１の安価な取付け構造を具備した内視鏡１を提供することができる。
【００４０】
［第２の実施の形態の第２の変形例］  
（構成）  
図９は、本発明の第２の実施の形態の第２の変形例を示す。本変形例は、上記第１の変形例の各挟持片３６ａ，３６ｂの穴部６１に代えて各挟持片３６ａ，３６ｂに外方向に向けて突出成形された突出成形部７１を形成したものである。そして、各挟持片３６ａ，３６ｂの突出成形部７１の内面側の凹部７２に分岐部材３１の両側面の第１凸部６２が挿通された状態で係止されることで、分岐部材３１の両側面の第１凸部６２と受け部３６の各挟持片３６ａ，３６ｂの突出成形部７１の内面側の凹部７２との間が係脱可能に係合される。この分岐部材３１の両側面の第１凸部６２と受け部３６の各挟持片３６ａ，３６ｂの突出成形部７１の内面側の凹部７２とによって受け部３６と分岐部材３１との間を係脱可能に係合する係合部７３が形成されている。
【００４１】
（作用・効果）  
本変形例では、分岐部材３１の第１凸部６２が一対の挟持片３６ａ，３６ｂと当接することで、一対の挟持片３６ａ，３６ｂが弾性変形しながら分岐部材３１の第１凸部６２が挟持片３６ａ，３６ｂの突出成形部７１の内面側の凹部７２に挿入される。本変形例でも一対の挟持片３６ａ，３６ｂの弾性変形を利用して各挟持片３６ａ，３６ｂの穴部６１に分岐部材３１の両側面の第１凸部６２を挿入させることで、円筒部材２９に分岐部材３１を組み付けることができる。そのため、本変形例でも第１実施形態と同様の効果が得られる。
【００４２】
［第３の実施の形態］  
（構成）  
図１０乃至図１２は、本発明の第３の実施の形態を示す。本実施の形態は第１の実施の形態（図１乃至図５参照）の内視鏡１の円筒部材２９と分岐部材３１との間の連結構造を次の通り変更した変形例である。なお、図１０乃至図１２中で、図１乃至図５と同一部分には同一の符号を付してここではその説明を省略する。
【００４３】
本実施の形態の内視鏡１は、図１０に示すように円筒部材２９の円筒部材開口部３０の両側面から円筒部材２９の内部側に突設された一対の挟持片８１ａ，８１ｂを有する受け部８１が形成されている。各挟持片８１ａ，８１ｂには、図１１に示すようにほぼＬ字状に屈曲された屈曲部が形成され、この屈曲部によって円筒部材２９の軸方向に延設されたレール（第３凸部）８２が形成されている。各レール８２の基端部には、係止用の突起部（スナップフィット）８３が内向きに突設されている。
【００４４】
また、分岐部材３１の両側面には、一対の挟持片８１ａ，８１ｂの各レール８２と係合する溝部（第４凹部）８４が形成されている。さらに、図１２に示すように分岐部材３１の両側面の溝部８４の基端部（終端位置）には、分岐部材３１の内方向に一段深く形成された凹部８５が形成されている。
【００４５】
そして、本実施の形態では分岐部材３１の溝部８４に挟持片８１ａ，８１ｂの各レール８２が差し込まれ、終端位置で各レール８２の基端部の係止用の突起部８３が溝部８４の凹部８５に嵌合されて係合されることで、分岐部材３１の両側面の溝部８４と受け部８１の挟持片８１ａ，８１ｂの各レール８２との間が係脱可能に係合される。この分岐部材３１の両側面の溝部８４の凹部８５と受け部８１の挟持片８１ａ，８１ｂの各レール８２の突起部８３とによって受け部８１と分岐部材３１との間を係脱可能に係合する係合部８６が形成されている。
【００４６】
（作用）  
次に、上記構成の作用について説明する。本実施の形態の挿入部２の基端側に延設される円筒部材２９に分岐部材３１を組み付ける作業時には、円筒部材開口部３０の前縁の突当て部３５に分岐部材３１の係合溝３７を当接させることで、円筒部材２９の軸方向に沿う分岐部材３１の前方向への移動を規制するとともに、開口部３０の側面に配置された受け部８１の一対の挟持片８１ａ，８１ｂ間に分岐部材３１が挟持される。この一対の挟持片８１ａ，８１ｂ間に分岐部材３１が挟持される際に、一対の挟持片８１ａ，８１ｂのレール８２が分岐部材３１の溝部８４に差し込まれ、終端位置で各レール８２の基端部の係止用の突起部８３が溝部８４の凹部８５に嵌合されて係合されることで、受け部８１と分岐部材３１との間が係脱可能に係合される。
【００４７】
（効果）  
本実施の形態では、円筒部材２９の一対の挟持片８１ａ，８１ｂの弾性変形を利用して分岐部材３１の両側面の溝部８４に一対の挟持片８１ａ，８１ｂの各レール８２が差し込まれ、終端位置で各レール８２の基端部の係止用の突起部８３が溝部８４の凹部８５に嵌合されて係合されることで円筒部材２９に分岐部材３１を組み付けることができる。したがって、本実施の形態でも第１実施形態と同様に従来のように分岐部材３１にねじ穴を機械加工し、この分岐部材３１を円筒部材２９にねじ部材によってねじ締めするなどの追加の作業が不要になるので、従来に比べて円筒部材２９に分岐部材３１を組み付ける組立て作業が容易となる。さらに、分岐部材３１は、例えば、ＭＩＭ（メタルインジェクション：射出成形粉末冶金）によってブロック部材３４を一体成形することができるので、分岐部材３１のコスト低下を図ることができる。これにより、組立てが容易で、分岐部材３１の安価な取付け構造を具備した内視鏡１を提供することができる。
【００４８】
さらに、本発明は上記実施の形態に限定されるものではなく、本発明の要旨を逸脱しない範囲で種々変形実施できることは勿論である。  
次に、本出願の他の特徴的な技術事項を下記の通り付記する。  
記  
（付記項１）  挿入部の基端側に延設される円筒部材と、前記円筒部材の側壁に設けられた開口部と、前記円筒部材の内部に取り付けられ、前記円筒部材の軸方向及び前記開口部方向に開通する分岐部材と、前記開口部の前縁に形成され、前記分岐部材が当接する突当て部と、前記開口部の側面から前記円筒部材の短手方向へ延出する、前記分岐部材を挟持する受け部と、前記受け部と前記分岐部材を係合する係合部と、を備えた内視鏡。
【００４９】
（付記項２）  前記係合部は、前記分岐部材の側面に設けられた凹部と、前記凹部と係合する前記受け部に設けられた凸部と、を含んでなる付記項１記載の内視鏡。
（付記項３）  前記受け部の軸方向に設けられたレールと、前記分岐部材に設けられた、前記レールと係合する溝部と、を含んでなる付記項１記載の内視鏡。
【産業上の利用可能性】
【００５０】
本発明は、操作部のケーシング内に配設された筒状部材と、処置具挿通用チャンネルと操作部の処置具挿入口と吸引通路との間を連結する連結用の分岐部材とを備えた内視鏡の組立てが容易で、分岐部材の安価な取付け構造を具備した内視鏡を使用する技術分野や、これを製造する技術分野に有効である。
【符号の説明】
【００５１】
２…挿入部、２９…円筒部材（筒状部材）、３０…円筒部材開口部、３１ａ…第１の通路、３１ｂ…第２の通路、３１ｃ…連通部、３１…分岐部材、３５…突当て部、３６ａ，３６ｂ…挟持片、３６…受け部、３８…貫通孔、３９…スプリングピン、４１…係合部。
【図１】
0005860693.tif 000002
【図２】
0005860693.tif 000003
【図３】
0005860693.tif 000004
【図４】
0005860693.tif 000005
【図５】
0005860693.tif 000006
【図６】
0005860693.tif 000007
【図７】
0005860693.tif 000008
【図８】
0005860693.tif 000009
【図９】
0005860693.tif 000010
【図１０】
0005860693.tif 000011
【図１１】
0005860693.tif 000012
【図１２】
0005860693.tif 000013